(57)【要約】【課題】  未燃焼部の正確な位置を精度良く特定できるようにすること。【解決手段】  火葬室２と、該火葬室２内に被火葬体１１，１２を載置するための焼却台８と、火葬室２内の燃焼ガスを排気するための排気路１４と、前記被火葬体１１，１２を焼却するための燃焼バーナー２０と、該燃焼バーナー２９からの火炎の方向を変更するための火炎方向変更手段２２，２３、２４、２７と、前記焼却台８上に載置された被火葬体の画像を撮像するための撮像手段３０、３１と、該撮像された被火葬体の画像に基づいて未燃焼の部分に前記燃焼バーナー２０からの火炎が当たるように前記火炎方向変更手段２２，２３、２４、２７を制御する制御手段４０と、を備える火葬炉１であって、少なくとも焼却台８を撮像範囲とする前記撮像手段３０、３１の撮像点１３を、前記焼却台８の直上領域内に、前記焼却台８の上面にほぼ正体するように設ける。【選択図】  図１
2006057878.tif 000002
【特許請求の範囲】
【請求項１】
被火葬体を収納する火葬室と、該火葬室内に配置され前記被火葬体を載置するための焼却台と、前記火葬室内の燃焼ガスを外部に排気するための排気路と、前記被火葬体を焼却するための燃焼バーナーと、該燃焼バーナーからの火炎の方向を変更するための火炎方向変更手段と、前記焼却台上に載置された被火葬体の画像を撮像するための撮像手段と、該撮像手段にて撮像された被火葬体の画像に基づいて、前記被火葬体の未燃焼の部分に前記燃焼バーナーからの火炎が当たるように前記火炎方向変更手段を制御する制御手段と、を備える火葬炉であって、
少なくとも前記焼却台を撮像範囲とする前記撮像手段の撮像点を、前記焼却台の直上領域内に、前記焼却台の上面にほぼ正対するように設けたことを特徴とする火葬炉。
【請求項２】
前記撮像点を、前記焼却台の端部からほぼ等しい距離となる位置に設けたことを特徴とする請求項１に記載の火葬炉。
【請求項３】
前記撮像点に火葬室内の熱気を遮断するための透明部材を有する窓部を備えるとともに、該窓部の透明部材を冷却するための冷却手段を備えることを特徴とする請求項１または２に記載の火葬炉。
【請求項４】
前記窓部の透明部材に火葬室内の煙による汚れの付着を防止するための防汚手段を備えることを特徴とする請求項３に記載の火葬炉。
【請求項５】
前記窓部の透明部材の汚れを清浄するための清浄手段を備えることを特徴とする請求項３または４に記載の火葬炉。
【請求項６】
前記撮像手段により撮像された画像に基づいて前記被火葬体の未燃焼の部分を画像認識により特定する画像認識手段を備え、該画像認識手段において画像認識に使用される画像を前記撮像手段にて撮像する際に前記燃焼バーナーを消火するとともに該撮像後に燃焼バーナーを点火する点火消火制御手段を備えることを特徴とする請求項１〜５のいずれかに記載の火葬炉。
【請求項７】
前記焼却台の上面に、該焼却台上の基準点或いは位置を特定可能とするための目印あるいは目盛を形成したことを特徴とする請求項１〜６のいずれかに記載の火葬炉。
【請求項８】
前記焼却台の上面に、加熱により蛍光または発光するサーモルミネッセンス材料層を設けたことを特徴とする請求項１〜７のいずれかに記載の火葬炉。
【請求項９】
前記目印あるいは目盛が、サーモルミネッセンス材料層を設けた部分、或いはサーモルミネッセンス材料層を設けていない部分にて形成されていることを特徴とする請求項８に記載の火葬炉。
【発明の詳細な説明】
【技術分野】
【０００１】
本発明は、遺体や動物の死体などの被火葬体を火葬するための火葬炉に関する。
【背景技術】
【０００２】
従来、これら火葬炉としては、作業員が火葬の進行状況、具体的には被火葬体の燃焼具合を目視にて監視しつつ、被火葬体に燃え残りがないように満遍なく火葬されるように、燃焼バーナーの火炎の向きや、場合によっては火葬室内に鉄棒等を差し入れて被火葬体を移動させて燃焼を促進させるようにしている。
【０００３】
このため、これら作業者、つまりは人手による制御においては、一人で複数の火葬炉を担当する場合が多く、燃焼バーナーの火力や姿勢を調整するタイミングが遅れる場合があり、燃料を無駄に消費したり火葬時間が長くなってしまうという問題があるとともに、これら遺体を扱う特殊性から、多くの作業者を確保することが難しいという問題があり、これらの問題を解決する手法として、火葬室内を監視カメラにて撮像して、該撮像した画像に基づいて燃焼バーナーの向き等の制御を自動化するものが提案されている（例えば、特許文献１参照）。
【０００４】
【特許文献１】特開２００３−３２２３１６号公報
【発明の開示】
【発明が解決しようとする課題】
【０００５】
しかしながら、特許文献１にあっては、監視カメラが火葬室の開閉扉側の端部位置に設けられているので、被火葬体を一方端側から撮像することになり、未燃焼部の正確な位置を精度良く特定することが、特に監視カメラの遠方側において難しく、制御された燃焼バーナーの火炎が上手く未燃焼部に当たらない場合が生じ、必ずしも燃料や火葬時間を低減できるものではないという問題があった。
【０００６】
本発明は、このような問題点に着目してなされたもので、未燃焼部の正確な位置を精度良く特定できるようにすることで、より信頼性と実用性の高い火葬炉を提供することを目的とする。
【課題を解決するための手段】
【０００７】
上記課題を解決するために、本発明の請求項１に記載の火葬炉は、
被火葬体を収納する火葬室と、該火葬室内に配置され前記被火葬体を載置するための焼却台と、前記火葬室内の燃焼ガスを外部に排気するための排気路と、前記被火葬体を焼却するための燃焼バーナーと、該燃焼バーナーからの火炎の方向を変更するための火炎方向変更手段と、前記焼却台上に載置された被火葬体の画像を撮像するための撮像手段と、該撮像手段にて撮像された被火葬体の画像に基づいて、前記被火葬体の未燃焼の部分に前記燃焼バーナーからの火炎が当たるように前記火炎方向変更手段を制御する制御手段と、を備える火葬炉であって、
少なくとも前記焼却台を撮像範囲とする前記撮像手段の撮像点を、前記焼却台の直上領域内に、前記焼却台の上面にほぼ正対するように設けたことを特徴としている。
この特徴によれば、従来に比較して撮像点と焼却台の遠方となる端部との距離を小さくできるとともに、撮像される焼却台を含む映像が、焼却台の上面にほぼ正対した上面からの画像となるために、画像上における位置精度を向上でき、よって未燃焼部の正確な位置を精度良く特定できることで、燃焼バーナーの火炎が上手く未燃焼部に当たらない等の状況の発生を低く抑えることができ、よって、より信頼性と実用性の高い火葬炉を提供することができる。
【０００８】
本発明の請求項２に記載の火葬炉は、請求項１に記載の火葬炉であって、
前記撮像点を、前記焼却台の端部からほぼ等しい距離となる位置に設けたことを特徴としている。
この特徴によれば、一方の端部との距離が大きくなることによる当該端部領域における位置精度の低下を防止でき、双方の端部領域での位置精度をほぼ同様のものにできるので、焼却台全体で良好な位置精度を、少ない撮像点数にて確保することができる。
【０００９】
本発明の請求項３に記載の火葬炉は、請求項１または２に記載の火葬炉であって、
前記撮像点に火葬室内の熱気を遮断するための透明部材を有する窓部を備えるとともに、該窓部の透明部材を冷却するための冷却手段を備えることを特徴としている。
この特徴によれば、撮像点における熱気の影響を低減でき、撮像点に配置された撮像手段を構成する装置の劣化等を低減できるばかりか、冷却手段を備えることで、透明部材の熱による膨張や変形（歪み）等による画像への影響を、より少ないものにできる。
【００１０】
本発明の請求項４に記載の火葬炉は、請求項３に記載の火葬炉であって、
前記窓部の透明部材に火葬室内の煙による汚れの付着を防止するための防汚手段を備えることを特徴としている。
この特徴によれば、窓部が焼却台の直上領域に設けられることで、焼却台に載置された被火葬体から発生した煙により透明部材が汚れる度合いを著しく低減でき、これら透明部材に煙による汚れが付着することによる画像のコントラストの低下による悪影響を極力抑えることができる。
【００１１】
本発明の請求項５に記載の火葬炉は、請求項３または４に記載の火葬炉であって、
前記窓部の透明部材の汚れを清浄するための清浄手段を備えることを特徴としている。
この特徴によれば、窓部が焼却台の直上領域に設けられることで、焼却台に載置された被火葬体から発生した煙により透明部材が汚れても、これらの汚れを、火葬炉の運転や使用を中断して人が火葬室内に入って清浄する必要がなく、これら透明部材が汚れを容易に除去することができ、よって、これら透明部材に煙による汚れが付着することによる画像のコントラストの低下による悪影響を極力抑えることができる。
【００１２】
本発明の請求項６に記載の火葬炉は、請求項１〜５のいずれかに記載の火葬炉であって、
前記撮像手段により撮像された画像に基づいて前記被火葬体の未燃焼の部分を画像認識により特定する画像認識手段を備え、該画像認識手段において画像認識に使用される画像を前記撮像手段にて撮像する際に前記燃焼バーナーを消火するとともに該撮像後に燃焼バーナーを点火する点火消火制御手段を備えることを特徴としている。
この特徴によれば、燃焼バーナーの火炎により被火葬体の画像が見えなくなり、画像認識による未燃焼の部分の認識精度が低下してしまうことによる不都合を大幅に回避できる。
【００１３】
本発明の請求項７に記載の火葬炉は、請求項１〜６のいずれかに記載の火葬炉であって、
前記焼却台の上面に、該焼却台上の基準点或いは位置を特定可能とするための目印あるいは目盛を形成したことを特徴としている。
この特徴によれば、仮に焼却台の配置位置等がずれても、基準点或いは位置を特定可能とするための目印あるいは目盛に基づいて、未燃焼の部分の位置を補正することが可能となるので、より一層位置精度を高めることができる。
【００１４】
本発明の請求項８に記載の火葬炉は、請求項１〜７のいずれかに記載の火葬炉であって、
前記焼却台の上面に、加熱により蛍光または発光するサーモルミネッセンス材料層を設けたことを特徴としている。
この特徴によれば、焼却台の上面が電源等を必要とすることなく火葬室内や被火葬体の熱によりサーモルミネッセンス材料層が蛍光または発光するようになるので、該焼却台に載置されている被火葬体の画像を良好に撮像することができる。
【００１５】
本発明の請求項９に記載の火葬炉は、請求項８に記載の火葬炉であって、
前記目印あるいは目盛が、サーモルミネッセンス材料層を設けた部分、或いはサーモルミネッセンス材料層を設けていない部分にて形成されていることを特徴としている。
この特徴によれば、火葬室内や被火葬体の熱によりサーモルミネッセンス材料層が蛍光または発光するようになるので目印あるいは目盛を、撮像した画像において良好に特定できるようになる。
【発明を実施するための最良の形態】
【００１６】
本発明の実施例を以下に説明する。
【実施例】
【００１７】
本発明の実施例を図面に基づいて説明すると、先ず図1は、本発明が適用された本実施例の火葬炉１を示す側断面図であり、図２は、本実施例の火葬炉１を示す上面視断面図であり、図３は、本実施例の撮像手段の撮像点となるＣＣＤカメラ３０並びに赤外線カメラ３１が配置される窓部１３の詳細を示す拡大断面図である。
【００１８】
尚、以下の説明においては、被火葬体として遺体１２並びに副葬品と、これら遺体並びに副葬品を収納する棺桶１１とから成る被火葬体を例に説明するが、本発明はこれに限定されるものではなく、これら被火葬体は動物等の死骸等であっても良い。
【００１９】
本実施例の火葬炉１は、図１に示す構成とされており、主に、遺体１２並びに副葬品（図示略）を収納した棺桶１１を火葬するための、耐熱壁５ａ、５ｂ、並びに天井壁４にて囲まれた火葬室２と、該火葬室２内にて発生した燃焼ガスを外部に排気するための排気路１４とから構成されており、該火葬室２の前方側には、被火葬体を火葬室２内に搬入並びに火葬後の遺骨を搬出するための開閉自在とされた開閉扉３が設けられている。
【００２０】
これら火葬室２への被火葬体である遺体１２を収納した棺桶１１は、本発明における焼却台となる下部に回動可能な車輪９を備えて移動可能な台車とされた火葬台８に載置され、該火葬台８を移動させることで容易に棺桶１１や遺骨を開閉扉３にて開閉される開閉口から火葬室２内に搬入、搬出できるようになっている。
【００２１】
この火葬台８が搬入される火葬室２内の耐熱床６には、火葬台８をほぼ所定位置に停止させるための、耐熱床６上面に突出形成された停止ガイド１０が設けられているとともに、該耐熱床６は、耐熱床６の四隅の下方位置に４点配置された重量センサ７のみにて支持されており、これら重量センサ７により、火葬台８の重量の変化を把握できるようになっている。
【００２２】
また、火葬室２の外壁を構成する前記開閉口とは反対側の内方側となる耐熱壁５ｂには、燃焼バーナー２０の火炎ノズル２１を挿通するための挿通孔１５が設けられており、これら挿通孔１５は、火炎ノズル２１が上下左右に移動できるように、火炎ノズル２１の径よりも大きな径を有するものとされている。
【００２３】
この本実施例に用いた燃焼バーナー２０には、側面視円盤状で回転可能に軸支されたバーナー本体２５から伸縮自在とされた火炎ノズル２１が、その外周面より突出する形状とされており、これらバーナー本体２５の一方の側面には、バーナー本体２５と同軸に設けられ、該バーナー本体２５を軸中心に回転させることで、火炎ノズル２１の上下方向（Ｙ軸）の向きを変更させることにより、火炎ノズル２１から放射される火炎の上下方向（Ｙ軸）の向きを変更するＹ軸モータ２２と、これらＹ軸方向に回転により移動可能なバーナー本体２５が固定され、水平方向（Ｘ軸）に回動することにより、火炎ノズル２１から放射される火炎の水平方向（X軸）の向きを変更する回転テーブル２３と、前記火炎ノズル２１を伸縮させるためのノズルアクチュエータ２７とを備えており、これらＹ軸モータ２２と回転テーブル２３の回転動作並びにノズルアクチュエータ２７の動作が、燃焼バーナー２０が載置される載置台内部に設けられているバーナーコントロールユニット２４により制御されることで、火炎の方向を上下左右に変更することができるようになっており、これらＹ軸モータ２２、回転テーブル２３、ノズルアクチュエータ２７並びにバーナーコントロールユニット２４により本発明における火炎方向変更手段が形成されている。
【００２４】
また、火葬室２の天井をなす天井壁４は、火葬室２内の煙が迅速かつ良好に排気路１４へ流入するように、排気路１４への入口が上方となるように該入口に向けて傾斜して形成されており、この天井壁４のほぼ中央、つまり、停止ガイド１０にてほぼ同一位置に配置される火葬台８の直上領域内であって、火葬台８の長手方向の両端部からほぼ等しい距離となる位置に、本発明における撮像手段における撮像点となる可視光による画像を撮影するためのＣＣＤカメラ３０並びに赤外線による画像を撮影するための赤外線カメラ３１とが、前記火葬台８の上面にほぼ正対するように、つまりは、ＣＣＤカメラ３０並びに赤外線カメラ３１の光学系の光軸が火葬台８の上面とほぼ直交するように配置され、これらＣＣＤカメラ３０並びに赤外線カメラ３１が火葬台８を含む火葬室２内の画像を撮像可能とするための、本発明における透明部材となる２重の耐熱ガラス３４、３５を備える窓部１３が形成されている。
【００２５】
この窓部１３について、図３を用いて詳細に説明すると、該窓部１３には、所定の間隔を有する２重の耐熱ガラス３４、３５が設けられており、これら２重の耐熱ガラス３４、３５の間には、これら耐熱ガラス３４、３５を冷却するための空気を噴出するノズル３７が設けられている。これらノズル３７に繋がる空気圧送口３６にコンプレッサからの脱油滴された圧縮空気が送り込まれることで、ノズル３７から空気が耐熱ガラス３４、３５間の空隙に噴射されて耐熱ガラス３４、３５が冷却されるようになっており、これらノズル３７によって本発明における冷却手段が形成されている。尚、これら耐熱ガラス３４、３５間の空隙に噴射された空気は、排出ノズル３９から火葬室２に排出される。
【００２６】
このように透明部材となる２重の耐熱ガラス３４、３５を冷却することは、本実施例のように、窓部１３が、火葬台８の直上に位置することで、燃焼ガスにより窓部１３の温度が、これら窓部１３を火葬台８の端部位置に設けた場合に比較して高くなりやすいので、これら窓部１３を通じてＣＣＤカメラ３０並びに赤外線カメラ３１に輻射される熱やＣＣＤカメラ３０並びに赤外線カメラ３１等の装置の熱による劣化等を低減できるばかりか、耐熱ガラス３４、３５の熱による膨張や変形（歪み）等による画像への影響をより少ないものにできることから好ましいが、本発明はこれに限定されるものではなく、これら耐熱ガラス３４、３５を冷却しない構成としても良い。
【００２７】
また、耐熱ガラス３４の火葬室２側の面に対応する位置には、耐熱ガラス３４の火葬室２側の面に火葬室２にて発生した煙による汚れの付着を防止するために、空気圧送口３６にコンプレッサから送り込まれた圧縮空気を噴出させるためのノズル３８が設けられており、該ノズル３８から圧縮空気が噴出することで、煙が耐熱ガラス３４の火葬室２側の面に触れることが阻止されて、煙による汚れの付着が防止されるようになっており、このノズル３８によって本発明における防汚手段が形成されている。
【００２８】
このように防汚手段を設けることは、本実施例のように窓部１３が、火葬台８の直上に位置することで、火葬台８に載置された被火葬体から発生した煙により耐熱ガラス３４が汚れる度合いを著しく低減でき、これら耐熱ガラス３４に煙による汚れが付着することによる画像のコントラストの低下による悪影響を極力抑えることができることから好ましいが、本発明はこれに限定されるものではなく、これら防汚手段となるノズル３８を設けないようにしても良い。
【００２９】
また、本実施例では、冷却手段や防汚手段として空気を用いているが、本発明はこれに限定されるものではなく、これらを空気以外のもの、例えば水等の液体や磁気等を使用したものとしても良い。
【００３０】
そして、本実施例の窓部１３には、耐熱ガラス３４の火葬室２側の面に付着した汚れを清浄化するためのワイパー３２と、該ワイパー３２を駆動するためのワイパーモータ３３とが設けられており、後述する制御コンピュータ４０にて、所定の操作を実施することで、該ワイパーモータ３３にてワイパー３２が揺動されて、耐熱ガラス３４の火葬室２側の面に付着した汚れが除去されるようになっており、該ワイパーモータ３３並びにワイパー３２により本発明における清浄手段が形成されている。尚、ワイパー３２には、火葬室２内において高温に暴露されるのでゴム等を使用できないとともに、石綿等を固めたものでは耐熱ガラス３４が傷つくので、本実施例では、これら耐熱ガラス３４よりも柔らかい軽石や、例えば火山灰や火山灰を中空化処理したシラスバルーンを無機バインダ等で固めた無機材料を使用しておいるが、本発明はこれに限定されるものではなく、これらワイパー３２に使用する部材は耐熱性を有して耐熱ガラス３４を傷付けないものであれば良く、これらの条件を満たすものから適宜に選択すれば良い。
【００３１】
また、このようにワイパーモータ３３並びにワイパー３２等の清浄手段を設けることは、本実施例のように窓部１３が火葬台８の直上に位置することで、火葬台８に載置された被火葬体から発生した煙により耐熱ガラス３４が仮に汚れても、これらの汚れを、火葬炉１の運転や使用を中断して人が火葬室２内に入って清浄する必要がなく、これら耐熱ガラス３４が汚れを容易に除去することができ、よって、これら耐熱ガラス３４に煙による汚れが付着することによる画像のコントラストの低下による悪影響を極力抑えることができることから好ましいが、本発明はこれに限定されるものではなく、これらワイパーモータ３３並びにワイパー３２等の清浄手段を設けない構成としても良い。
【００３２】
次に、本実施例に用いた火葬台８について説明すると、火葬台８は、前述のように下部に車輪９を有して移動可能な台車とされており、その上面には、図５に示すように、マトリックス状の模様が形成されている。このマトリックス状の模様の各升目を構成する部分が、加熱により蛍光または発光するサーモルミネッセンス材料層をその表面に有する９．５ｍｍ角の耐熱タイルから成るサーモルミネッセンス板８ｂにて形成されていて、各サーモルミネッセンス板８ｂが、１ｃｍの間隔を空けてマトリックス状に配置されることで、各モルミネッセンス板８ｂとの間に形成される間隙８ａによる線の中心が、火葬台８から１０ｃｍ、２０ｃｍ、…の位置となるようになっており、これら間隙８ａによる線により本発明における火葬台８上の基準点或いは位置を特定可能とするための目盛が形成されている。
【００３３】
これらサーモルミネッセンス材料としては、加熱することで蛍光または発光するものであり、耐熱性に優れる無機蛍光或いは無機発光材料が好ましく、例えば、被曝線量を測定するためのＴＬＤプレートに使用される蛍光材料に微量の放射線を放出する賦活剤を混入させたもの等が例示される。
【００３４】
尚、本実施例では、マトリックス状の模様の各升目側をサーモルミネッセンス板８ｂとしており、このようにすることは、火葬が進んで火葬台８の上面の温度が上昇することで、これらサーモルミネッセンス板８ｂが蛍光を発して火葬台８の上面に配置されている被火葬体である遺体の状況を、撮像した画像において確認し易くなることから好ましいが、本発明はこれに限定されるものではなく、逆に間隙８ａの部分にサーモルミネッセンス材料層を形成するようにしても良い。
【００３５】
また、本実施例では、サーモルミネッセンス板８ｂをマトリックス状に配置形成しており、このようにすることは、撮像した画像上における位置特定において、これら位置特定に使用する画像上に合成される基準線や位置ガイド線の位置の補正（本実施例では画像側を補正）を実施するとともに、特定した未燃焼部の位置を、これらマトリックスの升目からも特定できるようになるので、より一層特定した位置精度を向上できることから好ましいが、本発明はこれに限定されるものではなく、これら火葬台８の上面には、その中央部分となる位置を特定できるように、中央線のみをサーモルミネッセンス材料や或いはその他の蛍光や発光しない耐熱材料にて目視可能に形成して、火葬台８の基準位置となる中央線のみを特定できるようにしても良い。
【００３６】
次に、本実施例の火葬炉１を構成する電気的装置の構成を図４に基づいて説明すると、各火葬炉１の耐熱壁５ｂの外面には、前記燃焼バーナー２０と並ぶように、作業員が操作可能な制御コンピュータ４０が設けられており、この制御コンピュータ４０に重量センサ７やＣＣＤカメラ３０、赤外線カメラ３１、ワイパーモータ３３が接続されていて、重量センサ７からの電圧出力により火葬台８を含む総重量を計量し、各時点の重量を記憶していくことでその重量変化を把握できるようになっているとともに、ＣＣＤカメラ３０並びに赤外線カメラ３１にて撮像された画像信号が制御コンピュータ４０に入力されることで、該制御コンピュータ４０において、ＣＣＤカメラ３０並びに赤外線カメラ３１にて撮像された画像を記憶し、その画像に基づいて未燃焼部分が該制御コンピュータ４０にて特定される。
【００３７】
この制御コンピュータ４０は、その時点のＣＣＤカメラ３０の画像が逐次表示されるとともに、各種のメニュー等が表示されるディスプレイと、各種の入力を実施するためのファックションスイッチ等が設けられた工業用コンピュータとされている。
【００３８】
また、制御コンピュータ４０は、燃焼バーナー２０の動作を制御するバーナーコントロールユニット２４に接続されており、該バーナーコントロールユニット２４に点火や消化の指示や、火力の指示、並びに火炎の放射方向の座標データを含む移動指示を送信することで、バーナーコントロールユニット２４が、該バーナーコントロールユニット２４に接続されている点火ユニット２８や燃料供給ユニット２６を制御して、燃焼バーナー２０の点火や消化、並びに火力の制御を実施するとともに、予めバーナーコントロールユニット２４において各座標に対応付けて記憶されているＹ軸角度とＸ軸角度並びに火炎ノズル２１の長さに基づいて、制御コンピュータ４０からの座標データに対応するＹ軸角度とＸ軸角度とノズル長さとなるようにＹ軸モータ２２並びに回転テーブル２３の角度位置並びにノズルアクチュエータ２７を制御することで、制御コンピュータ４０が指定した座標に対して火炎ノズル２１からの火炎が放射されるようになっている。
【００３９】
以下、本実施例の火葬炉１の動作状況を、制御コンピュータ４０が実施する制御処理の内容を示す図６のフロー図に基づいて以下に説明すると、まず、作業者は、棺桶１１が配置された火葬台８を開閉扉３より火葬室２内に搬入し、停止ガイド１０によりほぼ所定位置に火葬台８を停止させる。
【００４０】
そして開閉扉３を閉じた後、制御コンピュータ４０の前面に設けられている火葬開始に該当するファンクションスイッチを作業員が操作することにより、当該操作がＳ１にて火葬開始操作有りと判定されてＳ２に進む。
【００４１】
そしてＳ２において、バーナーコントロールユニット２４に点火指示を出力して燃焼バーナー２０を点火させるとともに、初期燃焼における低火力とする火力の指示を出力してその火力を低火力に保持した後、一次タイマカウントのカウントを開始する。
【００４２】
そしてＳ３に進んで、燃焼バーナー２０を所定の設定動作、具体的には燃焼バーナー２０の火炎ノズル２１を上下左右にゆっくりと満遍なく移動させて棺桶１１や副葬品を焼却するようにする。
【００４３】
これらＳ３の動作は、Ｓ４において初期燃焼に設定されている一次タイマの時間がカウントアップしたと判定されるまで、つまりは、初期燃焼に設定されている一次タイマの時間が経過するまで、継続して実施される。
【００４４】
このＳ４において一次タイマの時間がカウントアップしたと判定された場合には、Ｓ５に進んで、バーナーコントロールユニット２４に消化指示を出力して燃焼バーナー２０を消化するとともに、Ｓ６に進んで該燃焼バーナー２０が消化した後におけるＣＣＤカメラ３０並びに赤外線カメラ３１による火葬台８の上面視画像を記憶し、該画像を記憶した後にＳ７に進んで点火指示をバーナーコントロールユニット２４に出力して燃焼バーナー２０を再点火させる。
【００４５】
このように、ＣＣＤカメラ３０並びに赤外線カメラ３１による画像を記憶する際、つまりは、撮像手段にて撮像する際に燃焼バーナー２０を消化して火炎の放射を中止し、撮像（画像の記憶）の後に再度点火することは、これら撮像（記憶）した画像に火炎が写り、火炎により火葬台８上の被火葬体の画像が見えなくなってしまうことを回避でき、これら火炎による影響のない画像を得ることができることから好ましが、本発明はこれに限定されるものではなく、これら火炎による影響を特殊なフィルタ等により排除することで、燃焼バーナー２０を点火したまま撮像（記憶）するようにしても良い。
【００４６】
また、本実施例では、画像を撮像（記憶）した後、画像認識等の画像処理を実施する以前に直ぐに燃焼バーナー２０を再点火しており、このようにすることは、画像処理を実施する時間中も燃焼バーナー２０による火葬処理を実施でき、火葬時間を少しでも短縮できることから好ましいが、本発明はこれに限定されるものではなく、これら燃焼バーナー２０の再点火を画像処理の実施後に実施するようにしても良い。
【００４７】
次にＳ８に進み、Ｓ６にて記憶した画像から、該画像中の火葬台８上の目盛りを特定し、該目盛りと位置ガイド線とが重複するように、記憶した画像を補正して更新するとともに、該補正した画像中において、火葬台８上のマトリックス模様を含まない領域の輪郭を抽出するとともに、該抽出した輪郭に基づく未燃焼部分の温度を赤外線カメラの画像にて判定し、その温度の高低（温度が高い場合には、着火して燃焼中であることが考えられるので、未着火の部分への火炎の放射を優先するために、温度の低い部分を優先する）によって未燃焼部分を特定する画像処理、つまりは画像認識処理を実施し、該画像認識処理により本発明における画像認識手段が形成されている。
【００４８】
そして、これら画像認識処理にて特定された該未燃焼部分の内、最も大きな領域を有する未燃焼部分の中心位置（座標）を、位置ガイド線並びにマトリックスの升目の数とから特定し、該特定した座標を含む移動指示をバーナーコントロールユニット２４に出力して（Ｓ１０）、火炎を該未燃焼部分の中心位置に向けて放射させる火炎方向制御処理を実施し、該火炎方向制御処理によって本発明における制御手段が形成されている。
【００４９】
次にＳ１１に進んで、各重量センサ７からの電圧に基づく重量を特定し、その時点の時間情報に対応付けて記憶するとともに、Ｓ１２に進んで、所定期間（本実施例では１０分）における重量変化を算出する。
【００５０】
そしてＳ１３に進んで、Ｓ１２において算出した重量変化が予め設定されている所定値以下であるか否かを判定し、該重量変化が所定値以下でない場合にはＳ１４に進んで、予め定められた所定時間、つまりは、燃焼バーナー２０を消化して次の未燃焼部分を再度特定するまでに設定された所定待機時間の経過を待ってＳ５に進み、再度Ｓ５〜Ｓ１３の処理を実施する一方、Ｓ１３においてＳ１２において算出した重量変化が予め設定されている所定値以下であるとの判断結果である場合には、Ｓ１５に進んで、火葬が終了したものと判定して、火葬終了のメッセージ表示や音声をディスプレイや図示しないスピーカから出力して報知するとともに、図示していないが燃焼バーナー２０を消化して再度Ｓ１に戻ることで、火葬開始操作待ちの状態に戻る。
【００５１】
以上、本実施例によれば、窓部１３を火葬炉１の火葬台８の直上部分となる位置に、撮像点となるＣＣＤカメラ３０並びに赤外線カメラ３１を火葬台８の上面にほぼ正対するように配置することで、従来に比較して撮像点と火葬台８の遠方となる端部との距離を小さくできるとともに、撮像される火葬台８を含む映像が、火葬台８の上面にほぼ正対した上面からの画像となるために、画像上における位置精度を向上でき、よって未燃焼部の正確な位置を精度良く特定できることで、燃焼バーナー２０の火炎が上手く未燃焼部に当たらない等の状況の発生を低く抑えることができ、よって、より信頼性と実用性の高い火葬炉１を提供することができる。
【００５２】
また、本実施例によれば、撮像点となるＣＣＤカメラ３０並びに赤外線カメラ３１が配置された窓部１３を、火葬台８の長手方向の両端部からほぼ等しい距離となる位置に設けたことで、一方の端部との距離が大きくなることによる当該端部領域における位置精度の低下を防止でき、双方の端部領域での位置精度をほぼ同様のものにできるので、火葬台８全体で良好な位置精度を、少ない撮像点数にて確保することができる。
【００５３】
以上、本発明の実施例を図面により説明してきたが、具体的な構成はこれら実施例に限られるものではなく、本発明の要旨を逸脱しない範囲における変更や追加があっても本発明に含まれる。
【００５４】
例えば、前記実施例では、各撮像手段における撮像点を１つのみとしているが、本発明はこれに限定されるものではなく、これら撮像点を、例えばＣＣＤカメラ３０を２つ或いは３つとして、これら各撮像点における画像を合成にてつなぎ合わせて、より高い位置精度や解像度にて画像認識を実施できるようにしても良い。
【００５５】
また、前記実施例では、ＣＣＤカメラ３０に加えて赤外線カメラ３１も使用しているが、本発明はこれに限定されるものではなく、これらのいずれか一方のみでも良いし、更には、これら可視光カメラや赤外線カメラ以外のその他の波長領域のカメラを使用しても良い。
【００５６】
また、前記実施例では、一回の画像認識により火炎を放射する１つの未燃焼部の座標を特定しているが、本発明はこれに限定されるものではなく、これら一回の画像認識により複数の未燃焼部の座標を特定して記憶しておき、所定時間の火炎の放射が終了したら、記憶している次の座標へ燃焼バーナー２０を消化することなく火炎ノズル２１の向きを変更しても良い。
【００５７】
また、前記実施例では、燃焼バーナー２０を１つとしているが、本発明はこれに限定されるものではなく、これら燃焼バーナー２０を複数としたり、可動な燃焼バーナー２０以外に、頭部や内蔵等の特定の部分のみを焼却させるバーナーを併設しても良い。
【図面の簡単な説明】
【００５８】
【図１】本発明の実施例における火葬炉の全体像を示す側断面図である。
【図２】本発明の実施例における火葬炉の上面視断面図である。
【図３】本発明の実施例における窓部１３の詳細を示す拡大断面図である。
【図４】本発明の実施例における火葬炉の電気的設備の構成を示すブロック図である。
【図５】本発明の実施例における火葬台８の上面を示す図である。
【図６】本発明の実施例における制御コンピュータにおける処理内容を示すフロー図である。
【符号の説明】
【００５９】
１        火葬炉
２        火葬室
３        開閉扉
４        天井壁
５ａ      耐熱壁
５ｂ      耐熱壁
６        耐熱床
７        重量センサ
８        火葬台
８ａ      間隙
８ｂ      サーモルミネッセンス板
９        車輪
１０      停止ガイド
１１      棺桶
１２      遺体
１３      窓部
１４      排気路
１５      挿通孔
２０      燃焼バーナー
２１      火炎ノズル
２２      軸モータ
２３      回転テーブル
２４      バーナーコントロールユニット
２５      バーナー本体
２６      燃料供給ユニット
２７      ノズルアクチュエータ
２８      点火ユニット
３０      ＣＣＤカメラ
３１      赤外線カメラ
３２      ワイパー
３３      ワイパーモータ
３４      耐熱ガラス
３６      空気圧送口
３７      ノズル
３８      ノズル
３９      排出ノズル
４０      制御コンピュータ
【図１】
2006057878.tif 000003
【図２】
2006057878.tif 000004
【図３】
2006057878.tif 000005
【図４】
2006057878.tif 000006
【図５】
2006057878.tif 000007
【図６】
2006057878.tif 000008